(57)【特許請求の範囲】
【請求項１】
一の紙コップの外周に周方向に延びる対のリングを形成し、他の紙コップの底部に第１貫通孔と、該第１貫通孔の周縁に延在する第１ひだ状部とを形成し、
他の紙コップの第１貫通孔に外側から一の紙コップを底部側から嵌めて、一の紙コップの対のリングの間に他の紙コップの第１ひだ状部を嵌合させた、
ことを特徴とするブーケ用保水装置。
【請求項２】
前記一の紙コップは第１紙コップの内側に第２紙コップを積み重ねて形成し、前記一の紙コップの対のリングは、第１紙コップの内側に第２紙コップを積み重ねて、各コップ開口端に延在するリングにより形成した、
ことを特徴とする請求項１に記載のブーケ用保水装置。
【請求項３】
一の紙コップの外周に周方向に延びる対のリングを形成し、他の紙コップの底部に第１貫通孔と、該第１貫通孔の周縁に延在する第１ひだ状部とを形成し、一の紙皿の底部に第２貫通孔と、該第２貫通孔の周縁に延在する第２ひだ状部とを形成し、
前記一の紙コップは第１紙コップの内側に第２紙コップを積み重ねて形成し、前記一の紙コップの対のリングは、第１紙コップの内側に第２紙コップを積み重ねて、各コップ開口端に延在するリングにより形成し、
前記一の紙皿の前記第２貫通孔に内側から前記第２紙コップを底部側から嵌めて、前記第２紙コップの外周に前記第２ひだ状部を密接させ、前記第２紙コップを前記第１紙コップの内側に積み重ねて連結し、前記第１紙コップを底部側から前記他の紙コップの前記第１貫通孔に外側から嵌めて、前記対のリングの間に、前記他の紙コップの前記第１ひだ状部を嵌合させた、
ことを特徴とするブーケ用保水装置。
【請求項４】
前記一の紙皿に他の紙皿を重ね合わせ、前記他の紙皿は、該紙皿の底部に前記一の紙コップの開口に連通し、該開口の径よりも小径の孔を備えた、
ことを特徴とする請求項３に記載のブーケ用保水装置。
【請求項５】
前記他の紙コップおよび前記一の紙皿を覆う包装体と、前記他の紙コップと前記一の紙皿との連結部を前記包装体の上から結ぶ帯材とを備えた、
ことを特徴とする請求項３又は４に記載のブーケ用保水装置。
【発明の詳細な説明】
【技術分野】
【０００１】
本発明はブーケ用保水装置に係り、特に、生花を用いてブーケを製作する際に使用する、ブーケ用保水装置に関する。
【背景技術】
【０００２】
ブーケは、例えば結婚式で新婦が手にするウェディングブーケに代表される。典型的なブーケの形状としては、ラウンド型、オーバル型、クレッセント型、キャスケード型等、幾何学構造のものがある。
ブーケを製作する際には、一般に、各花の下部の茎２センチから３センチだけを残して各花を一輪ずつ短くカットし、細いワイヤーを用いて固定し、保水容器に挿して、化粧用フィルムなどで覆って、リボンで結ぶ。
従来、吸水スポンジに切花を直接挿すタイプのブーケ製作具が提案されている（特許文献１）。このブーケ製作具は、ブーケ製作時間を大幅に短縮でき、吸水スポンジに水分を多く蓄えることができる。
【先行技術文献】
【特許文献】
【０００３】
【特許文献１】実開平０６−０１５４４２号公報
【発明の概要】
【発明が解決しようとする課題】
【０００４】
しかしながら、特許文献１では、花を長持ちさせるために、定期的に吸水スポンジに水分を補給する作業を行う必要がある。保水容器に各花を挿すものでは、ブーケの製作が難しく、ブーケ製作時間がかかる。従来の保水容器は搬送時などにかさばることが多い。花が枯れた後などには、保水容器の廃棄処理が面倒になる。
【０００５】
そこで、本発明の目的は、上述した従来技術の課題を解消し、ブーケの製作を容易にし、ブーケ製作時間を短縮でき、搬送時などにかさばることが少なく、花が枯れた後の保水装置の廃棄を容易にしたブーケ用保水装置を提供することにある。
【課題を解決するための手段】
【０００６】
本発明は、一の紙コップの外周に周方向に延びる対のリングを形成し、他の紙コップの底部に第１貫通孔と、該第１貫通孔の周縁に延在する第１ひだ状部とを形成し、他の紙コップの第１貫通孔に外側から一の紙コップを底部側から嵌めて、一の紙コップの対のリングの間に他の紙コップの第１ひだ状部を嵌合させた、ことを特徴とする。
本発明では、例えば市販の紙コップなどを用いて組み立てているため、ブーケの製作が容易になり、ブーケ製作時間が短縮され、搬送時などにかさばることが少なく、搬送が容易で、花が枯れた後には紙コップを燃えるごみとして、焼却処理できる。
【発明の効果】
【０００７】
本発明によれば、紙コップを用いて組み立てているため、ブーケの製作が容易になり、ブーケ製作時間が短縮される。使用後には紙コップを燃えるごみとして、焼却処理できる。他の紙コップの第１貫通孔に一の紙コップを嵌めて、一の紙コップの対のリングの間に他の紙コップの第１ひだ状部を嵌合させているため、他の紙コップと一の紙コップとの連結が強固で、安定する。
【図面の簡単な説明】
【０００８】
【図１】本発明の一実施形態に係る一の紙コップを示す斜視図である。
【図２】同他の紙コップを示す斜視図である。
【図３】同他の紙コップを示す上面図である。
【図４】同ブーケ用保水装置の断面図である。
【図５】（Ａ）は、本発明の別実施形態に係る一の紙皿の上面図であり、（Ｂ）は、図５（Ａ）のＢ−Ｂ側面図である。
【図６】同他の紙皿の上面図である。
【図７】同ブーケ用保水装置の断面図である。
【図８】同ブーケ用保水装置の断面図である。
【発明を実施するための形態】
【０００９】
以下、図面を参照して本発明の一実施形態について説明する。
図１において、符号１は、第１紙コップ、符号２は、第２紙コップを示す。第１紙コップ１の内側には第２紙コップ２が積み重ねられ、一の紙コップ１０が形成される。
【００１０】
第１紙コップ１、第２紙コップ２は、大きさが異なるだけで、形態としてはほぼ同じである。第１紙コップ１の高さＨ１は、第２紙コップ２の高さＨ２よりも低い。第１紙コップ１の底部の外径Ｄ１は、第２紙コップ２の底部の外径Ｄ２とほぼ同じである。第１紙コップ１の天部は開口し、開口端には丸く曲げたリング３が形成されている。第２紙コップ２の天部は開口し、開口端には丸く曲げたリング４が形成されている。第１紙コップ１、第２紙コップ２は、市販の物でよい。
一の紙コップ１０の外周には、周方向に延びる対のリング３、４が、高さ方向に間隔δを開けて形成されている。
第１紙コップ１に第２紙コップ２を重ねると、第１紙コップ１の内周と第２紙コップ２の外周とが密接し、摩擦抵抗で堅固に連結される。必要に応じて、第１紙コップ１と第２紙コップ２とを接着してもよい。
【００１１】
図２において、符号２０は、他の紙コップを示す。
他の紙コップ２０は、第１紙コップ１、第２紙コップ２と比較して、最も大きい紙コップであり、市販の物でよい。使用時には逆さにして使用される。他の紙コップ２０の高さＨ２０は、第２紙コップ２の高さＨ２よりも高い。他の紙コップ２０の底部の内径Ｄ２０は、第２紙コップ２のリング４の外径Ｄ４とほぼ同じである。他の紙コップ２０の天部（図２では下端部）は開口し、開口端には丸く曲げたリング５が形成されている。他の紙コップ２０の底部（図２では上端部）には、第１貫通孔２１と、第１貫通孔２１の周縁に延在する、複数枚の第１ひだ状部２２とが形成されている。
【００１２】
図３に示すように、第１ひだ状部２２は、他の紙コップ２０の底部を、第１貫通孔２１の外径Ｄ２１に沿ってプレスにより打ち抜き、第１貫通孔２１の外径Ｄ２１と、他の紙コップ２０の底部の内径Ｄ２０との間に残ったリング片２３に、周方向に等しい間隔を開けて、切込み２４を入れて、切込み２４と切込み２４の間に形成する。
【００１３】
図２に示すように、第１ひだ状部２２の長さＬ２２と、他の紙コップ２０の底壁２７の高さＨ２５との合計が、一の紙コップ１０の外周に形成された、対のリング３、４の間隔δ（図１参照。）とほぼ等しく形成される。
【００１４】
図４は、ブーケ用保水装置３０の断面図である。
ブーケ用保水装置３０は、第１紙コップ１の内側に第２紙コップ２を積み重ねて一の紙コップ１０（図１参照。）を形成し、一の紙コップ１０を、その底部側から、他の紙コップ２０の第１貫通孔２１（図２参照。）に嵌め込んで形成される。
【００１５】
一の紙コップ１０を、第１貫通孔２１に嵌め込む過程では、第１ひだ状部２２を押し退けて嵌め込まれる。一の紙コップ１０が完全に嵌め込まれると、図４に示すように、第１ひだ状部２２が、一の紙コップ１０の外周に形成された、対のリング３、４の間隔δに嵌め込まれる。したがって、ブーケ用保水装置３０が組み立てられると、対のリング３、４の間に、第１ひだ状部２２が引っ掛かり、一の紙コップ１０の、第１貫通孔２１からの抜け出しが防止される。
【００１６】
ブーケ用保水装置３０では、一の紙コップ１０の内部に水が溜められ、一の紙コップ１０の内部に、不図示の生花を束ねて収容し、他の紙コップ２０の外側に化粧用フィルムなどを巻きつけ、その上からバンドで閉じて形成される。
【００１７】
本実施形態では、紙コップ１０、２０を用いて組み立てているため、ブーケの製作が容易になり、ブーケ製作時間が短縮される。また、使用後には、紙コップ１０、３０を燃えるごみとして、焼却処理できるため、廃棄を容易に行える。他の紙コップ２０の第１貫通孔２１に一の紙コップ１０を嵌め、一の紙コップ１０の対のリング３、４の間に他の紙コップ２０の第１ひだ状部２２を嵌合させているため、他の紙コップ２０と一の紙コップ１０との連結が強固で、安定する。
【００１８】
一の紙コップ１０の底部は、第１紙コップ１の底部３１と、第２紙コップ２の底部３３との二重底３２となるため、一の紙コップ１０の内部に、生花を束ねて収容する際に、仮に、生花の茎の先端により第２紙コップ２の底部３３を傷つけても、その底部は二重底３２であり、漏水を防止できる。なお、一の紙コップ１０は、第１紙コップ１の内側に、第２紙コップ２を積み重ねることで、第２紙コップ２の外周に、対のリング３、４を形成したが、これに限定されない。例えば、リング３を単体で形成し、第２紙コップ２の外周にリング３を嵌めて形成してもよい。
【００１９】
本実施形態では、ブーケ用保水装置３０が紙コップ１０、２０だけで構成される。したがって、ブーケの制作者は、２種類の紙コップ１０、２０を準備すればよい。各紙コップ１０、２０を、例えば５０個ずつほど重ねて準備できるため、整理が容易であり、かつ、かさばらないため、搬送などが容易である。
他の紙コップ２０は、使用時に逆さにして使用されるため、裾広がりの形態となり、姿勢を安定させることができる。
【００２０】
図５〜図８は、ブーケ用保水装置の別実施形態を示す。なお、図７、図８において、第１紙コップ１、第２紙コップ２、一の紙コップ１０、他の紙コップ２０の構成は、上記実施形態の構成と同じであるので、その説明を省略する。
【００２１】
ブーケ用保水装置１３０（図８参照。）は、図５（Ａ）（Ｂ）に示す一の紙皿１１０と、図６に示す他の紙皿１２０と、を備えている。一の紙皿１１０の底部には、図５（Ａ）に示すように、第２貫通孔１２１と、第２貫通孔１２１の周縁に延在する、複数枚の第２ひだ状部１２２とが形成されている。第２ひだ状部１２２の長さＬ１２２は、対のリング３、４の間隔δ（図４参照。）よりも若干長い。ただし、長さＬ１２２はリング３、４の間隔δと等しいか、或いは、間隔δより短くてもよい。
第２ひだ状部１２２は、一の紙皿１１０の底部を、第２貫通孔１２１の外径Ｄ１２１に沿ってプレスにより打ち抜き、第２貫通孔１２１の外径Ｄ１２１と、一の紙皿１１０の底部の内径Ｄ１２０との間に残ったリング片１２３に、周方向に等しい間隔を開けて、切込み２４を入れて、切込み１２４と切込み１２４の間に形成する。
【００２２】
他の紙皿１２０は、外観が一の紙皿１１０と同形態のもので、その底部には、第３貫通孔２２１が形成されている。第３貫通孔２２１の直径Ｄ２２１は、一の紙皿１１０の底部の内径Ｄ１２０よりも小さい。一の紙皿１１０の底部の内径Ｄ１２０は、第２紙コップ２のリング４の付根の外径Ｄ３とほぼ等しい。
【００２３】
つぎに、ブーケ用保水装置１３０の組み立てについて説明する。
図７に示すように、第２紙コップ２を、一の紙皿１１０の底部の内径Ｄ１２０に、底部から嵌める。第２紙コップ２を完全に嵌めると、一の紙皿１１０の底部が、第２紙コップ２のリング４の下端に当接する。一の紙皿１１０の複数枚の第２ひだ状部１２２は、第２紙コップ２の外周に密接する。ついで、第２紙コップ２を第１紙コップ１の内側に積み重ねる。このとき、一の紙皿１１０の第２ひだ状部１２２は、第２紙コップ２と第１紙コップ１の間に挿入される。第２紙コップ２を第１紙コップ１に積み重ねて一の紙コップ１０を形成した後、図８に示すように、一の紙コップ１０を、他の紙コップ２０（図２参照。）の第１貫通孔２１に嵌め込む。
【００２４】
一の紙コップ１０を、第１貫通孔２１に嵌め込む過程では、上記実施形態と同様に、第１ひだ状部２２を押し退けて嵌め込まれる。一の紙コップ１０が完全に嵌め込まれると、図８に示すように、第１ひだ状部２２が、一の紙コップ１０の外周に形成された、対のリング３、４の間隔δに嵌め込まれる。したがって、ブーケ用保水装置１３０が組み立てられると、対のリング３、４の間に、第１ひだ状部２２が引っ掛かり、一の紙コップ１０の、第１貫通孔２１からの抜け出しが防止される。
【００２５】
そして、一の紙皿１１０の上に、他の紙皿１２０（図６参照。）を積み重ねて、一の紙皿１１０と他の紙皿１２０とを、不図示の固定具により連結するなどして、ブーケ用保水装置１３０が形成される。
【００２６】
ブーケ用保水装置１３０では、一の紙コップ１０の内部に水が溜められ、一の紙コップ１０の内部に、不図示の生花を束ねて収容し、他の紙コップ２０、および、一の紙皿１１０と他の紙皿１２０の外側に、不図示の化粧用フィルム（包装体）などを巻きつけ、その上から不図示のバンド（帯材）で閉じて形成される。バンド（帯材）は、他の紙コップ２０と一の紙皿１２０との、括れた連結部を連結すれば、形のよいブーケを簡単に製造することができる。
【００２７】
本実施形態では、紙コップ１０、２０と、紙皿１１０、１２０と、を用いて組み立てているため、ブーケの製作が容易になり、ブーケ製作時間が短縮される。また、ブーケを使用した使用後には、紙コップ１０、３０と、紙皿１１０、１２０と、を燃えるごみとして、焼却処理できるため、廃棄を容易に行える。他の紙コップ２０の第１貫通孔２１に一の紙コップ１０を嵌め、一の紙コップ１０の対のリング３、４の間に他の紙コップ２０の第１ひだ状部２２を嵌合させているため、他の紙コップ２０と一の紙コップ１０との連結が強固で、安定する。
【００２８】
一の紙コップ１０は、第１紙コップ１の内側に、第２紙コップ２を積み重ねることで、第２紙コップ２の外周に、対のリング３、４を形成したが、これに限定されない。例えば、リング３を単体で形成し、第２紙コップ２の外周にリング３を嵌めて形成してもよい。単体のリング３は、第２紙コップ２の外周に接着してもよい。
【００２９】
本実施形態では、一の紙皿１１０の上に他の紙皿１２０が重ねられ、他の紙皿１２０には、直径が小さい第３貫通孔２２１が形成されているため、ブーケの使用時に、第３貫通孔２２１を通じた水漏れを抑制できる。
【００３０】
本実施形態では、ブーケ用保水装置１３０が２種類の紙コップ１０、２０と、２種類の紙皿１１０、１２０だけで構成される。したがって、ブーケの制作者は、２種類の紙コップ１０、２０と、２種類の紙皿１１０、１２０を準備すればよい。各紙コップ１０、２０および各紙皿１１０、１２０を、それぞれ例えば５０個ずつほど重ねて準備すればよいので、整理が容易であり、かつ、かさばらず、搬送が容易である。
【００３１】
以上、一実施形態に基づいて本発明を説明したが、本発明はこれに限定されない。本発明の範囲内で任意に変形および応用が可能である。
【符号の説明】
【００３２】
１  第１紙コップ
２  第２紙コップ
３、４  リング
１０  一の紙コップ
２０  他の紙コップ
２１  第１貫通孔
２２  第１ひだ状部
３０、１３０  ブーケ用保水装置
１１０  一の紙皿
１２０  他の紙皿
１２１  第２貫通孔
１２２  第２ひだ状部
２２１  第３貫通孔
【要約】
【課題】ブーケの製作を容易にし、ブーケ製作時間を短縮でき、搬送時などにかさばることがなく、花が枯れた後の保水装置の廃棄を容易にした。
【解決手段】一の紙コップ１０の外周に周方向に延びる対のリング３、４を形成し、他の紙コップ２０の底部に第１貫通孔２１と、該第１貫通孔２１の周縁に延在する第１ひだ状部２２とを形成し、他の紙コップ２０の第１貫通孔２１に一の紙コップ１０を嵌めて、一の紙コップ１０の対のリング３、４の間に他の紙コップ２０の第１ひだ状部２２を嵌合させた。
【選択図】図４【図１】
0006678887.tif 000002
【図２】
0006678887.tif 000003
【図３】
0006678887.tif 000004
【図４】
0006678887.tif 000005
【図５】
0006678887.tif 000006
【図６】
0006678887.tif 000007
【図７】
0006678887.tif 000008
【図８】
0006678887.tif 000009